(57)【特許請求の範囲】
【請求項１】
自立が不安定な程度に薄く形成された本体と、
この本体に取付けられたアンテナ素子と、
立っている被設置面のアンテナ受け部に係脱可能に引っ掛けられる壁掛け部を有し、かつ、一端部が前記本体の背部に回動可能に取付けられ、前記本体の背面に沿うように立てて配置される格納位置、及び前記一端部を中心とする回動で他端部が前記本体の後方に離れて被載置面に配置される支え位置にわたって移動可能なスタンドと、
このスタンドが前記格納位置に配置された際にその配置状態を保持する第１保持手段と、
前記スタンドが前記支え位置に配置された際にその配置状態を保持する第２保持手段と、
を具備し、
前記第２保持手段が、前記本体の背部又は前記スタンドの内の一方に設けられた弾性変形可能な第２引掛け部と、他方にセルフヒンジを介して回動可能に設けられかつ前記第２引掛け部に係脱可能な第２引掛け部受けを有して前記本体の背部又は前記スタンドとに亘って斜めに配置可能なストッパとからなることを特徴とする室内アンテナ。
【請求項２】
前記ストッパが前記スタンドと一体であって、このストッパが、前記スタンドを前記格納位置に配置した際に前記本体の背部に設けられた前記第２引掛け部に係脱可能な第３引掛け部受けを有していることを特徴とする請求項１に記載の室内アンテナ。
【発明の詳細な説明】
【０００１】
【発明の属する技術分野】
本発明は、テレビジョン放送又はラジオ放送等を受信するための室内アンテナに関する。
【０００２】
【従来の技術】
室内アンテナの中には、卓上に載置して使用する形態と、壁面等に取付けて使用する形態とのいずれかを選択できる卓上・壁掛け両用型のものが提供されている（実開昭５９−７３８０９号公報参照）。
【０００３】
この公報に記載の室内アンテナは、ループ式及びロッド式のアンテナ素子を夫々取付けた略立方体状の本体を備え、この本体の一側面上部にだるま形状の一つの壁掛け穴を設けている。このアンテナは、本体の形状故に広い底面を有しているから、ロッド式アンテナ素子の向きなどに拘らずに本体を安定して自立させて卓上等に載置して使用できるとともに、壁面などの立っている被設置面にねじ込んだねじに前記壁掛け穴を引っ掛けることにより、壁に掛けた姿勢で使用できる。
【０００４】
しかし、前記構成の室内アンテナは、自立して使用できるように本体が大きく形成されているため、本体の構成材料の使用量が多いだけではなく、その荷姿が大きくならざるを得ないため、梱包及び輸送費が嵩むとともに、壁掛け使用状態では壁面などの被設置面からの出幅が大きい。
【０００５】
【発明が解決しようとする課題】
本発明が解決しようとする課題は、卓上使用状態での安定性を確保しつつ、壁掛け使用状態等でのコンパクト化を図ることができる安価な室内アンテナを得ることにある。
【０００６】
【課題を解決するための手段】
前記課題を解決するために、請求項１の発明は、自立が不安定な程度に薄く形成された本体と、この本体に取付けられたアンテナ素子と、立っている被設置面のアンテナ受け部に係脱可能に引っ掛けられる壁掛け部を有し、かつ、一端部が前記本体の背部に回動可能に取付けられ、前記本体の背面に沿うように立てて配置される格納位置、及び前記一端部を中心とする回動で他端部が前記本体の後方に離れて被載置面に配置される支え位置にわたって移動可能なスタンドと、このスタンドが前記格納位置に配置された際にその配置状態を保持する第１保持手段と、前記スタンドが前記支え位置に配置された際にその配置状態を保持する第２保持手段と、を具備し、前記第２保持手段が、前記本体の背部又は前記スタンドの内の一方に設けられた弾性変形可能な第２引掛け部と、他方にセルフヒンジを介して回動可能に設けられかつ前記第２引掛け部に係脱可能な第２引掛け部受けを有して前記本体の背部又は前記スタンドとに亘って斜めに配置可能なストッパとからなることを特徴とするものである。
【０００７】
この請求項１の発明において、アンテナ素子には、ＵＨＦ用アンテナ素子及びＶＨＦ・ＦＭ共用のアンテナ素子の内の少なくとも一方を用いることができる。請求項１の発明において、スタンドは、その格納位置において下端部又は上端部を本体の背部に回動可能に取付けられて、この取付け端部を中心に回動することにより格納位置又は支え位置に選択的に配置されるものであればよく、また、このスタンドは１以上あればよい。この請求項１の発明において、壁掛け部は、孔であってもよいし、或はＬ字形状等のフックであってもよい。
【０００８】
前記請求項１の発明においては、奥行方向の厚みが総じて薄く自立状態が不安定な本体の底部を卓上等の被載置面に載置して使用するには、スタンドを本体の背部から離れるように回動させて支え位置に配置するとともに、この支え位置のスタンドを第２保持手段により保持させて、本体をその後側からスタンドで支持して本体が倒れないように安定させることができる。
【０００９】
又、壁掛け状態で使用するには、本体の背部に沿うように格納位置にスタンドを配置するとともに、この格納位置のスタンドを第１保持手段により保持させて、このスタンドの壁掛け部を立っている壁面等の被設置面に設けたアンテナ受け部に引掛け、それにより、スタンドを壁掛け状態とする。この場合、本体がその上下方向の高さ寸法より底部の奥行寸法が短く、厚み方向に薄くコンパクトな形態であることとあいまって、この本体の背部に既述のようにスタンドが沿って格納され保持されているから、前記壁掛け状態での被設置面からの出幅を小さくできる。
【００１０】
そして、以上のように本体が厚み方向に薄くコンパクトな形態であるので、本体の構成材料の使用量が少ないこととあいまって、スタンドを格納位置に保持してアンテナ全体を厚み方向に薄くコンパクトな形態とできるので、このアンテナの梱包容積及び梱包に要する資材を少なくできる。
【００２０】
更に、請求項１の発明においては、スタンドを支え位置に配置した状態で、ストッパを本体及びスタンドに対して斜めの姿勢となるように回動させて、その第２引掛け部受けを、本体又はスタンドの第２引掛け部とを押付けることで、第２引掛け部の弾性変形及びクリック感を伴ってこれに第２引掛け部受けを引っ掛けることができる。それにより、本体とスタンドとにわたってストッパを斜めに配置して、本体が後側に倒れないように確実に支持しつつスタンドを支え位置に保持できる。この逆に、第２引掛け部受けが第２引掛け部から離れるようにストッパを引きながら回動させることにより、第２引掛け部の弾性変形及びクリック感を伴ってこの第２引掛け部から第２引掛け部受けを外して、スタンドを支え位置に移動させることを可能とする。
【００２１】
請求項２の発明は、前記ストッパが前記スタンドと一体であって、このストッパが、前記スタンドを前記格納位置に配置した時に前記本体の背部に設けられた前記第２引掛け部に係脱可能な第３引掛け部受けを有していることを特徴としている。
【００２２】
この請求項２の発明においては、スタンドを支え位置に配置した状態で、そのスタンドと一体のストッパを本体及びスタンドに対して斜めの姿勢となるように回動させて、その第２引掛け部受けを本体の第２引掛け部に押付けることで、第２引掛け部の弾性変形及びクリック感を伴ってこの第２引掛け部に第２引掛け部受けを引っ掛けることができる。それにより、本体とスタンドとにわたって斜めにストッパを配置して、本体が後側に倒れないように確実に支持しつつスタンドを支え位置に保持できる。この逆に、ストッパを本体から離れるように引き動かすことにより、第２引掛け部の弾性変形及びクリック感を伴ってこの第２に引掛け部からストッパの第２引掛け部受けを外して、スタンドを支え位置に移動させることを可能とする。
【００２３】
そして、スタンドを支え位置に配置した状態では、ストッパの第３引掛け部受けが本体の第２引掛け部に対向するから、ストッパを本体に押付けることにより、第２引掛け部の弾性変形を伴ってこの第２引掛け部に第３引掛け部受けを引掛けて、ストッパをふらつかないように保持できる。又、スタンドを支え位置に向けて本体から開くように回動させることにより、ストッパも同時に変位するので、この場合に第２引掛け部の弾性変形を伴ってこの第２引掛け部からストッパの第３引掛け部がクリック感を伴って引き外される。
【００２４】
【発明の実施の形態】
以下、図１〜図５を参照して本発明の第１実施形態を説明する。
【００２５】
この実施形態に室内アンテナ１は、本体２と、２種類のアンテナ素子３、４と、電装ユニット５と、ケーブルユニット６と、スタンド７と、第１、第２の保持手段８、９とを備えて構成されている。
【００２６】
図３に示すように本体２は、合成樹脂製の前ケース１１と後ケース１２とを組合わせて複数のねじ１３（１本のみ図示）で連結することにより組立てられている。第１アンテナ素子３は、ＵＨＦ受信用のループアンテナであり、合成樹脂好ましくはアクリル製円盤からなり、その周部背面に沿って絶縁被覆された信号線（図示しない）が配線されている。この第１アンテナ素子３は前後一対のケース１１、１２間に挟設されている。図１（Ａ）等に示すように前ケース１１の上部中央部には、第１アンテナ素子３と同心状の開口１１ａが設けられており、この開口１１ａには第１アンテナ素子３の中央部が嵌まり込んでいる。開口１１ａに露出する第１アンテナ素子３の中央部表面には必要により製品面などを印刷したシール等が貼り付けられるようになっている。
【００２７】
一対の第２アンテナ素子４は伸縮可能なＶＨＦ・ＦＭ受信用のロッドアンテナであり、これは図１（Ｂ）及び図２で代表して一方を示すようにベース軸部４ａと、伸縮ロッド部４ｂとからなる。ベース軸部４ａは後ケース１２の底部側壁を貫通して水平中心軸線を中心に回動可能に設けられている。ベース軸部４ａにはその径方向に貫通して図示しないピンが設けられ、このピン回りを回動できるように伸縮ロッド部４ｂの下端部がベース軸部４に連結されている。
【００２８】
以上のように第１、第２のアンテナ素子３、４が装着された本体２は、図３に示すように上下方向の高さ寸法Ａよりも底部の奥行寸法Ｂが数分の１と短く形成され、それによって本体２は薄型となっている。しかも、底部下面２ａは、この下面２ａを卓上等の被載置面に置いたときに本体２が後向きに傾くように傾斜されている。そのため、以上のように薄く形成された本体２を被載置面に載置したときおける本体２の自立安定性は乏しい。特に第２アンテナ素子４を最大に伸張させた状態では、本体２の自立安定性はより不安定となる。
【００２９】
前記電装ユニット５は本体２に内蔵されている。このユニット５は、回路基板１５の下端部に切換えスイッチ１６を取付けるとともに、この上側にインピーダンス整合回路をなす各種の電気部品１７（図３中２点鎖線で代表する。）を取付けて形成されている。インピーダンス整合回路はテレビジョン受像機側とアンテナ素子とのインピーダンスが適合するように調整するためのアンテナ感度調整用の回路である。両アンテナ素子３、４が接続された切換えスイッチ１６は、切換え操作子として例えばスライド釦１６ａを有している。図１（Ａ）に示すようにスライド釦１６ａは前ケース１２の下部を貫通してこのケース１２の表面に露出され、外部から必要に応じてスライド操作可能に設けられている。なお、このスライド操作によるアンテナ感度の切換えは例えば１２ポジションある。
【００３０】
図１（Ａ）で示すように前記ケーブルユニット６は、同軸ケーブル６ａと、この一端に連結したＬ形プラグ６ｂとからなり、同軸ケーブル６ａの他端は電装ユニット５に接続されている。このユニット６の大半は本体２外に引出されており、そのＬ形プラグ６ｂは金めっきされていてテレビジョン受像機のアンテナ端子に接続されるようになっている。
【００３１】
図１（Ｂ）及び図４等に示すように前記スタンド７は合成樹脂により平板状に形成されている。このスタンド７は、前側中央に前方に突出する取付け凸部２１を有しているとともに、後側左右両側に夫々壁掛け部としての壁掛け孔２２を有している。取付け凸部２１の前端部左右両側には夫々枢軸突起２３が一体に突設されている。壁掛け孔２２はだるま状の通孔で形成されている。
【００３２】
本体２の背部における底部側には左右一対の後方膨出部２ｂが形成されて、これら膨出部２ｂはその相対向する面の下部に図示しないが軸受穴を有している。そして、軸受穴の夫々に前記枢軸突起２３を挿入することにより、スタンド７は本体２の底部背面に回動可能に取付けられている。なお、図４中２１ａは取付け凸部２１に設けたＵ字状の溝を示し、この溝２１ａは、その両側部分の弾性変形を許容させて枢軸突起２３を軸受穴に挿入させるために設けられている。
【００３３】
このようにして本体２の背部に回動可能に取付けられたスタンド７は、図１（Ｂ）、図３、及び図５（Ａ）に示すようにスタンド７の自由端部が本体２の後方に離れて卓上等の被載置面上に配置される支え位置と、図２及び図５（Ｂ）に示すようにスタンド７の自由端部が上向きとなって本体２の背部に沿うように立てて配置される格納位置とにわたって移動できるようになっている。
【００３４】
スタンド７はそれが格納位置に配置された際には、その状態を第１保持手段８により保持されるように構成されている。この第１保持手段８は、本実施形態では、本体２に設けられた第１引掛け部２５と、スタンド７に設けられて第１引掛け部２５に係脱可能な第１引掛け部受け２６とで形成されている。第１引掛け部２５は、その先端部が少し折れ曲がって例えばＬ形状をなした弾性変形可能な突起からなり、本体２の上部背面から後向きに突設されている。第１引掛け部受け２６はスタンド７の自由端部側の中央位置に開けられた角孔で形成されている。
【００３５】
スタンド７を格納位置に回動させて、その第１引掛け部受け２６に第１引掛け部２５をこの引掛け部２５の弾性変形及び節度（クリック）感を伴って引っ掛けることにより、スタンド７を第１アンテナ素子３と略平行な姿勢で確実に保持できるようになっている。この逆に、スタンド７を支え位置に向けて回動するように引き動かすことにより、第１引掛け部２５の弾性変形及び節度（クリック）感を伴って、この引掛け部２５から第１引掛け部受け２６の引っ掛りを外すことができる。
【００３６】
スタンド７はそれが支え位置に配置された際には、その状態を第２保持手段９により保持されるように構成されている。なお、この際におけるスタンド７の開き止めは、図３に示すように取付け凸部２１ａの先端面が本体２の底部背面に当接することによりなされ、それにより、支え位置のスタンド７は本体２の底部底面２ａに面一に連なるように位置規制される。
【００３７】
第２保持手段９は、本実施形態では、本体２に設けられた第２引掛け部２７と、スタンド７に設けられかつ第２引掛け部２７に係脱可能な第２引掛け部受け２８を有したストッパとしてのストッパ板２９とで形成されている。図３及び図５（Ａ）に示すように第２引掛け部２７は、その先端部が少し折れ曲がって例えばＬ形状をなした弾性変形可能な上下一対の突起からなり、本体２の高さ方向中間部背面から後向きに突設されている。ストッパ板２９は、スタンド７の中央部において取付け凸部２１側に位置するセルフヒンジ３０を介して一体に設けられた短冊状の板からなり、この板２９の自由端部を設けた棒状のブリッジ部で形成されている。
【００３８】
スタンド７を支え位置に回動させて、そのストッパ板２９をセルフヒンジ３０を中心に本体２の背面側に起こして、一対の第２引掛け部２７間に第２引掛け部受け２８を挿入しつつ両第２引掛け部２７の弾性変形及び節度感を伴って引っ掛けることにより、ストッパ板２９を図１（Ｂ）、図３、及び図５（Ａ）に示すように略水平姿勢のスタンド７とやや後傾した本体２の背面とにわたって斜めに架設して、やや後傾した本体２を後側から突っ張って確実に支持するとともに、スタンド７を支え位置に確実に保持できるようになっている。又、この逆に、ストッパ板２９を後方へ引き動かすことにより、一対の第２引掛け部２７の弾性変形及び節度感を伴って、これらの引掛け部２７間から第２引掛け部受け２８の引っ掛りを外して、前記突っ張り支持を解除できる。
【００３９】
ストッパ板２９には第２引掛け部２７に係脱可能な第３引掛け部受け３１が設けられている。この受け３１はセルフヒンジ３０側に設けられた棒状のブリッジ部で形成されている。この第３引掛け部受け３１は、スタンド７を格納位置に配置した状態で、ストッパ板２９を本体２の背面に押付けることにより、一対の第２引掛け部２７間に挿入されつつ両第２引掛け部２７の弾性変形及び節度（クリック）感を伴って引っ掛けられる。それにより、ストッパ板２９がふらつかないように支持できる。又、スタンド７を支え位置に向けて回動するように引き動かす場合には、第２引掛け部２７の弾性変形及び節度感を伴って、この引掛け部２７から第３引掛け部受け３１の引っ掛りを外すことができる。
【００４０】
前記構成の室内アンテナ１は、その本体２の厚みが薄くそれ自体では自立安定性に乏しい。しかし、このアンテナ１を卓上等の被載置面上に載置して使用する場合には、図１、図３、及び図５（Ａ）に示すスタンド７を支え位置に配置し、かつ、その状態をストッパ板２９の突っ張り作用で保持できる。そのため、被載置面上への載置状態を安定させて使用できる。しかも、この載置状態では、本体２が後傾していて、この本体２と両アンテナ素子３、４を含めた重心が本体２の背部側寄りとなるために、多少の振動などが作用しても室内アンテナ１が前後に転倒する恐れを極めて小さくできる。
【００４１】
又、室内アンテナ１を壁掛け状態で使用する場合には、図２及び図５（Ｂ）に示すようにスタンド７を本体２背面の格納位置に立てて、このスタンド７の壁掛け孔２２を、図２に示す立っている壁面などの被設置面３５に例えばねじ込みにより突設されたねじ等のアンテナ受け部３６に引掛けて、この受け部３６に吊持すればよい。この使用状態では、既述のように両アンテナ素子３、４を含めた本体２の厚みが薄いとともに、この背面にスタンド７が沿って格納されており、室内アンテナ１がその厚み方向にコンパクト化されているから、壁掛け使用状態における被設置面からの室内アンテナ１の出幅を小さくできる。しかも、本実施形態では、格納位置のスタンド７に対して、その上向きとなっている自由端部側、詰まり本体２の上端部側に一対の壁掛け孔２２が設けられているので、本体２と両アンテナ素子３、４を含めた重心が壁掛け孔２２より下側に位置するから、壁掛け使用状態を安定させて、本体２が不用意に前側に倒れる恐れがないものである。
【００４２】
しかも、既述のように本体２の背部に沿ってスタンド７を格納できることとあいまって本体２自体が厚み方向にコンパクト化されているから、この室内アンテナ１の梱包容積を小さくでき、それに伴って、梱包資材の使用量を少なくできる。そのため、荷姿が小さく梱包費及び輸送費を低減できるとともに、コンパクトな本体２の採用により、この本体２を構成する合成樹脂の使用量とともに材料費を低減できる。したがって、前記構成により室内アンテナ１のコストを低減できる。
【００４３】
図６は本発明の第２実施形態を示している。この実施形態は基本的には第１実施形態と同様な構成であるので、同様構成部分には第１実施形態と同じ符号を付して、その構成および作用の説明を省略し、以下異なる部分について説明する。第２実施形態が第１実施形態と異なる部分は、第２保持手段のストッパを本体及びスタンドから独立させた点である。
【００４４】
すなわち、ストッパとしてのストッパ板１２９は、その長手方向両端部に夫々棒状のブリッジ部からなる第２引掛け部受け２８を有して形成されている。スタンド７には、前記セルフヒンジに代えて前記第２引掛け部２７と同様に先端部が少し折れ曲がって例えばＬ形状をなした弾性変形可能な一対の引掛け部をからなる第４引掛け部１３０が設けられているとともに、スタンド７を格納位置に立てて配置した際に第２引掛け部２７を収容する逃げ孔７ａが設けられている。ストッパ板１２９は、支え位置に配置された状態で、その一端の第２引掛け部受け２８を本体２の第２引掛け部２７に節度感を伴って引掛けるとともに、他端の第２引掛け部受け２８をスタンド７の第４引掛け部１３０に節度感を伴って引掛ける。それにより、略水平姿勢のスタンド７とやや後傾した本体２の背面とにわたって図６中２点鎖線で示すようにストッパ板１２９が斜めに架設されて、本体２を後側から突っ張って確実に支持するとともに、スタンド７を支え位置に確実に保持する。又、以上の構成を採用した関係で、第１実施形態で説明した第３引掛け部受けは省略されているとともに、本体２の背部にはスタンド７を格納位置に配置したときに、第４引掛け部１３０が収容される逃げ孔２ｃが開けられている。なお、以上説明した点以外の構成は、図６に示されない構成を含めて第１実施形態と同じである。
【００４５】
したがって、この第２実施形態においても、第１実施形態と同様の作用を得て本発明の所期の課題を解決できる。
【００４６】
図７は本発明の第３実施形態を示している。この実施形態は基本的には第１実施形態と同様な構成であるので、同様構成部分には第１実施形態と同じ符号を付して、その構成および作用の説明を省略し、以下異なる部分について説明する。第３実施形態が第１実施形態と異なる部分は、第２保持手段のストッパを本体及びスタンドから独立させた点である。
【００４７】
すなわち、この第３実施形態において、ストッパとしてのストッパ板２２９は、本体２の背壁の下端部に幅方向に延びて開けた水平状の通孔２ｄに挿入されて前後方向に移動可能に設けられており、その両側縁は前記後方膨出部２ｂに設けたガイド溝２ｅに摺動可能に嵌合されている。ストッパ板２２９はその後端部中央に出し入れ時の操作を容易ならしめるための上向きの摘み２２９ａを有している。なお、図７（Ｂ）中２ｆはストッパ板２２９の前後動を安定して案内するために本体２の底部内面に設けたガイドリブを示している。又、スタンド７には、ストッパ板２２９の引出し過多を防止するためのストッパ凸部２２１が一体に形成されている。このストッパ凸部２２１に応じて本体２の背部にはスタンド７を格納位置に配置したときに、ストッパ凸部２２１が収容される逃げ孔２ｇが開けられているとともに、スタンド７はこれを格納位置に配置したときに、摘み２２９ａが収容される凹状の逃げ部２２２が設けられている。これらの構成により、スタンド７を本体２の背部に沿うように立てて格納位置に配置できるようになっている。
【００４８】
スタンド７が支え位置に配置された時には、図７（Ａ）に示すようにストッパ板２２９が後側にストッパ凸部２２１に当たるまで引出され、それにより、スタンド７を支え位置に確実に保持できるから、卓上使用状態においてスタンド７が不用意に起上がること（言い換えれば、本体２が後側に倒れること）を確実に防止できる。又、ストッパ板２２９の大半を本体２内に押し込むことにより、スタンド７を格納位置に回動させることができる。なお、以上説明した点以外の構成は、図７に示されない構成を含めて第１実施形態と同じである。
【００４９】
したがって、この第３実施形態においても、第１実施形態と同様の作用を得て本発明の所期の課題を解決できる。
【００５０】
【発明の効果】
本発明は、以上説明したような形態で実施され、以下に記載されるような効果を奏する。
【００５１】
請求項１の発明によれば、厚み方向に薄いコンパクトな形態の本体を備えるにも拘らず、第２保持手段により支え位置に保持されるスタンドで本体をその後側から支持可能であるので、卓上等の被設置面に載置して使用する状態での安定性を確保できる。そして、本体の背部に沿う格納位置に配置されたスタンドを第１保持手段によりスタンドを保持した状態で、このスタンドの壁掛け部を利用して壁掛け使用状態とできるから、この状態での被設置面からの出幅が小さくコンパクト化を図ることができる。又、本体が既述のように厚み方向に薄くコンパクトであるから、その構成材料の使用量が少ないとともに、このアンテナ全体の梱包容積及び梱包に要する資材も少なくできるから、安価な室内アンテナを提供できる。
【００５５】
更に、請求項１の発明によれば、支え位置に配置されたスタンドを確実に前記支え位置に保持可能な室内アンテナを提供できる。
【００５６】
請求項２の発明によれば、スタンドが格納位置に配置された状態で、本体をその後側から支持するストッパを本体に引掛けて保持できるので、格納されたスタンドのストッパがふらつきを防止可能な室内アンテナを提供できる。
【図面の簡単な説明】
【図１】（１）は本発明の第１実施形態に係る室内アンテナを卓上使用姿勢で斜め前側から見て示す斜視図。
（Ｂ）は第１実施形態に係る室内アンテナを卓上使用姿勢で斜め後側から見て示す斜視図。
【図２】図１の室内アンテナを壁掛け使用姿勢で斜め後側から見てアンテナ受け部とともに示す斜視図。
【図３】図１の室内アンテナを卓上使用姿勢で示す断面図。
【図４】図１の室内アンテナが備えるスタンドを示す平面図。
【図５】（Ａ）は図３の一部を拡大して示す断面図。
（Ｂ）はスタンド格納状態出示す図５（Ａ）相当の断面図。
【図６】本発明の第２実施形態に係る室内アンテナの本体支え構造を一部分解して示す断面図。
【図７】（Ａ）は本発明の第３実施形態に係る室内アンテナの本体支え構造を示す断面図。
（Ｂ）は前記本体支え構造を図７（Ａ）中矢印Ｚ方向から見て一部を断面して示す背面図。
【符号の説明】
１…室内アンテナ
２…本体
Ａ…本体の高さ寸法
Ｂ…本体底部の奥行寸法
２ａ…本体の底部下面
３、４…アンテナ素子
７…スタンド
８…第１保持手段
９…第２保持手段
２２…引掛け孔（壁掛け部）
２５…第１引掛け部
２６…第１引掛け部受け
２７…第２引掛け部
２８…第２引掛け部受け
２９…ストッパ板（ストッパ）
３０…セルフヒンジ
３１…第３引掛け部受け
３６…アンテナ受け部
１２９、２２９…ストッパ板（ストッパ）
【図１】
0003539927.tif 000002
【図２】
0003539927.tif 000003
【図３】
0003539927.tif 000004
【図４】
0003539927.tif 000005
【図５】
0003539927.tif 000006
【図６】
0003539927.tif 000007
【図７】
0003539927.tif 000008